(57)【要約】【課題】導体が断面略円形状であるフラットケーブルにおいて、導体が並べられている平面と同じ平面内で屈曲させることができるフラットケーブル及びフラットケーブルにおける屈曲部の形成方法を提供する。【解決手段】同一平面上に複数の断面略円形状の導体２が並べられ、各導体２が絶縁体３で被覆されて絶縁導体部４が形成されており、該隣り合う各絶縁導体部４の絶縁体３が連結部５によって連結されているフラットケーブル１において、各絶縁導体部４を連結する各連結部５の所定箇所にケーブル長手方向に沿ったスリット６をそれぞれ設け該スリット６によって分離された各絶縁導体部４を結束することにより屈曲部７を形成する。【選択図】　図２
2004055197.tif 000002
【特許請求の範囲】
【請求項１】
同一平面上に複数の断面略円形状の導体が並べられ、該各導体が絶縁体で被覆されて絶縁導体部が形成されており、該隣り合う各絶縁導体部の絶縁体が連結部によって連結されているフラットケーブルにおいて、
前記各連結部の所定箇所にケーブル長手方向に沿ったスリットを設け該スリットによって分離された前記各絶縁導体部を結束することにより形成した屈曲部を有することを特徴とするフラットケーブル。
【請求項２】
前記スリットを、前記連結部の幅方向の全幅に渡って設けたことを特徴とする請求項１に記載のフラットケーブル。
【請求項３】
同一平面上に複数の断面略円形状の導体が並べられ、該各導体が絶縁体で被覆されて絶縁導体部が形成されており、該隣り合う各絶縁導体部の絶縁体が連結部によって連結されているフラットケーブルにおける屈曲部の形成方法であって、
前記各連結部の所定箇所にケーブル長手方向に沿ったスリットを設け該スリットによって分離された前記各絶縁導体部を結束することにより屈曲部を形成することを特徴とするフラットケーブルにおける屈曲部の形成方法。
【請求項４】
前記スリットを前記連結部の幅方向の全幅に渡って設け、該スリットによって分離された前記各絶縁導体部を結束することにより屈曲部を形成することを特徴とする請求項３に記載のフラットケーブルにおける屈曲部の形成方法。
【発明の詳細な説明】
【０００１】
【発明の属する技術分野】
本発明は、フラットケーブル及びフラットケーブルにおける屈曲部の形成方法に関し、特に複数の導体が並べられている平面と同一平面内で屈曲させることができるフラットケーブル及びフラットケーブルにおける屈曲部の形成方法に関する。
【０００２】
【従来の技術】
この種のフラットケーブルは、断面略円形状或いは断面平角状の導体を同一平面上に複数並べ、該同一平面上に並べた複数の導体を絶縁体で被覆して絶縁導体部を形成し、該隣り合う各絶縁導体部が連結されて構成されている。
【０００３】
このようなフラットケーブルを、例えば自動車のボディ内壁面等に沿って配線する場合、複数の導体が並ぶ平面と同じ平面内で屈曲させる手段として、従来、種々の手段が提案されている。
【０００４】
このうち、実開平６−７７１１６号公報では、導体が断面平角状であるフラットケーブルを、導体が並べられている平面と同一平面内で屈曲させる手段が記載されている。
【０００５】
同公報に記載された手段では、フラットケーブルの屈曲部に、曲げ方向内側から外側に向かって順次長さを変化させたスリットを形成し、該スリットによって分離された複数の同一平面上に並べられた平角導体被覆電線を重ね合わせ、導体が並べられている平面と同一平面内で屈曲させるようになっている。
【０００６】
【発明が解決しようとする課題】
導体が断面平角状であるフラットケーブルでは、このような手段によって平角導体が並ぶ平面と同一平面内で屈曲させることが可能であるが、このような手段では、平角導体被覆電線が捻れることを防止するため、各平角導体被覆電線を重ね合わせる作業が必要となることから、加工性に問題がある。
【０００７】
また、屈曲部において重ね合わせた平角導体被覆電線の断面平角状の導体の広幅面が、導体が並ぶ平面に対し垂直となる方向となっているため、屈曲させた時に荷重のかかり方が安定せず、不具合を生じる恐れがある。
【０００８】
このように導体が断面平角状のフラットケーブルでは、導体が並ぶ平面と同一平面内で屈曲させるにあたって上記問題が生じていることから、本発明者はかかる問題を生じることなく、フラットケーブルを導体の並ぶ平面と同一平面内で屈曲させることが可能な手段を、導体が略円形状であるフラットケーブルにおいて見出し、本発明を完成するに至った。
【０００９】
本発明の目的は、導体が断面略円形状であるフラットケーブルにおいて、導体が並べられている平面と同じ平面内で、上記問題を生じることなく屈曲させることができるフラットケーブル及びフラットケーブルにおける屈曲部の形成方法を提供することにある。
【００１０】
【課題を解決するための手段】
上記目的を達成するために、請求項１に記載の発明は、同一平面上に複数の断面略円形状の導体が並べられ、該各導体が絶縁体で被覆されて絶縁導体部が形成されており、該隣り合う各絶縁導体部の絶縁体が連結部によって連結されているフラットケーブルにおいて、前記各連結部の所定箇所にケーブル長手方向に沿ったスリットを設け該スリットによって分離された前記各絶縁導体部を結束することにより形成した屈曲部を有することを特徴とする。
【００１１】
かかる構成によると、前記屈曲部では前記連結部の所定箇所にケーブル長手方向に沿って設けたスリットによって分離された各絶縁導体部が結束されているので、かかる屈曲部を屈曲点として、導体が並べられている平面と同一平面内でフラットケーブルを屈曲させることができる。
【００１２】
そして、このような屈曲部を有するフラットケーブルでは、ケーブル長手方向に沿ったスリットを各絶縁導体部間の連結部に設け該スリットによって分離された前記各絶縁導体部を結束することにより屈曲部を形成するので、屈曲部の形成が容易で加工作業の作業性が良好である。さらにこのように形成された屈曲部では、ケーブル屈曲時に荷重のかかり方が安定するため不具合を生じる恐れがなく、また導体が並べられている平面と同一平面内だけではなく、任意の方向にフラットケーブルを屈曲させることも可能である。
【００１３】
請求項２に記載の発明は、請求項１に記載の前記スリットを、前記連結部の幅方向の全幅に渡って設けたことを特徴とする。
【００１４】
かかる構成によると、フラットケーブルを屈曲させようとする箇所は、前記連結部に幅方向の全幅に渡ってスリットを設けて連結部を完全に削除した状態となっているので、結束が容易であるとともに、フラットケーブルを屈曲させたときに、屈曲部に連結部による荷重が集中することもない。
【００１５】
請求項３に記載の発明は、同一平面上に複数の断面略円形状の導体が並べられ、該各導体が絶縁体で被覆されて絶縁導体部が形成されており、該隣り合う各絶縁導体部の絶縁体が連結部によって連結されているフラットケーブルにおける屈曲部の形成方法であって、前記各連結部の所定箇所にケーブル長手方向に沿ったスリットを設け該スリットによって分離された前記各絶縁導体部を結束することにより屈曲部を形成することを特徴とする。
【００１６】
このような方法により形成された屈曲部では前記各連結部の所定箇所にケーブル長手方向に沿ってそれぞれ設けたスリットによって分離された各絶縁導体部が結束されているので、かかる屈曲部を屈曲点として、導体が並べられている平面と同一平面内でフラットケーブルを屈曲させることができる。
【００１７】
そして、このようにケーブル長手方向に沿ったスリットを各絶縁導体部間の連結部に設け該スリットによって分離された前記各絶縁導体部を結束することにより屈曲部を形成するので、屈曲部の形成が容易で加工作業の作業性が良好である。さらにこのような方法により形成された屈曲部では、ケーブル屈曲時に荷重のかかり方が安定するため不具合を生じる恐れがなく、また導体が並べられている平面と同一平面内だけではなく、任意の方向にフラットケーブルを屈曲させることも可能である。
【００１８】
請求項４に記載の発明は、請求項３に記載のフラットケーブルにおける屈曲部の形成方法において、前記スリットを前記連結部の幅方向の全幅に渡って設け、該スリットによって分離された前記各絶縁導体部を結束することにより屈曲部を形成することを特徴とする。
【００１９】
このような方法により屈曲部が形成されたフラットケーブルでは、フラットケーブルにおける屈曲部となる箇所は、各連結部に幅方向の全幅に渡ってスリットを設けて連結部を完全に削除した状態となっているので、結束が容易であるとともに、フラットケーブルを屈曲させたときに、屈曲部に連結部による荷重が集中することもない。
【００２０】
【発明の実施の形態】
以下、本発明の実施の形態について説明する。
図１及び図２は本発明に係るフラットケーブルの実施の形態の第１例を示す図であり、図１（ａ）は本例のフラットケーブルの平面図、図１（ｂ）は図１（ａ）のＡ−Ａ線拡大断面図、図２は図１に示すフラットケーブルに屈曲部を形成した状態を示す平面図である。
【００２１】
図において、引用符号１は本例のフラットケーブルを示しており、このフラットケーブル１にあっては、同一平面上に複数並べられた断面略円形状の導体２が絶縁体３で被覆されて絶縁導体部４が形成されている。
【００２２】
引用符号５は隣り合う各絶縁導体部４の絶縁体３を連結する連結部である。この各連結部５におけるフラットケーブル１を屈曲させたい箇所には、ケーブル長手方向に沿ったスリット６がそれぞれ設けられ、フラットケーブル１の隣り合う各絶縁導体部４はこのスリット６によってそれぞれ分離された状態となっている。
【００２３】
このスリット６にあっては、分離された状態となっている前記各絶縁導体部４を後述するように結束するために必要となる長さを少なくとも有している。なお、スリット６にあっては、本例では図示のように殆ど幅を有していないが、このようなものに限られないことは勿論であり、連結部５において所定の幅を有するものであってもよい。
【００２４】
図２において、引用符号７は屈曲部である。この屈曲部７は、前記スリット６によって分離された状態となっている各絶縁導体部４をテープ８によるテープ巻きによって結束することにより形成されている。この屈曲部７における各絶縁導体部４の結束にあっては、形成された屈曲部７においてフラットケーブル１を屈曲させることができるよう、きつく結束されている。なお、結束の手段はどのようなものであってもよく、図に示すようなテープ巻きの他、例えば結束バンドなどの結束具を用いて結束してもよい。
【００２５】
このように本例のフラットケーブル１は、前記各絶縁導体部４の絶縁体３を連結する連結部５にケーブル長手方向に沿ってそれぞれ設けられたスリット６によって分離された各絶縁導体部４を結束することにより形成した屈曲部７を有し、該屈曲部７ではスリット６によって分離された各絶縁導体部４がテープ巻きにより結束されているので、例えばテープ８の前後など、屈曲部７を屈曲点として、導体２が並べられている平面と同一平面内（図２の矢印の方向）で屈曲させることができる。
【００２６】
そして、屈曲部７は、ケーブル長手方向に沿ったスリット６を各絶縁導体部４間の連結部５に設け該スリット６によって分離された前記各絶縁導体部４を結束する方法により形成されるので、その形成が容易で加工作業の作業性が良好である。さらにこのように形成された屈曲部７では、ケーブル屈曲時に荷重のかかり方が安定するため不具合を生じる恐れがなく、また導体２が並べられている平面と同一平面内だけではなく、任意の方向にフラットケーブル１を折り曲げることも可能である。
【００２７】
次に、本発明に係るフラットケーブルの実施の形態の第２例について説明する。なお、図１及び図２に示す上記実施の形態の第１例と共通の構成については同じ符号を付し、説明を省略する。
【００２８】
図３（ａ）は本例のフラットケーブルの平面図、図３（ｂ）は図３（ａ）のＢ−Ｂ線拡大断面図、図４は図３に示すフラットケーブルに屈曲部を形成した状態を示す平面図である。
【００２９】
本例では、図３に示すように、連結部５におけるフラットケーブル１を屈曲させたい箇所に設けられるスリット６はケーブル長手方向に沿って各連結部５の幅方向に全幅に渡ってそれぞれ設けられていて、かかるスリット６が設けられている箇所では、連結部５が取り除かれて各絶縁導体部４が分離された状態となっている。
【００３０】
そして、第１例と同様、屈曲部７は、かかるスリット６によって分離された状態となっている各絶縁導体部４を図４に示すようにテープ８によるテープ巻きによって結束することにより、屈曲部７が形成されている。この屈曲部７における各絶縁導体部４の結束にあっても、形成された屈曲部７においてフラットケーブル１を屈曲させることができるよう、きつく結束されている。なお、結束の手段についても、第１例と同様どのようなものであってもよい。
【００３１】
このような本例のフラットケーブル１においても、第１例と同様の作用効果を生じるとともに、フラットケーブル１を屈曲させようとする箇所は、連結部５に幅方向の全幅に渡ってスリット６を設けて連結部５を完全に削除した状態となっているので、結束が容易であるとともに、フラットケーブル１を屈曲させたときに、屈曲部７に連結部５による荷重が集中することもない。
【００３２】
【発明の効果】
以上説明したように請求項１に係る発明によれば、フラットケーブルの屈曲部では各絶縁導体部の絶縁体を連結する各連結部の所定箇所にケーブル長手方向に沿ってそれぞれ設けたスリットによって分離された各絶縁導体部が結束されているので、かかる屈曲部を屈曲点として、フラットケーブルを導体が並べられている平面と同一平面内で屈曲させることができる。
【００３３】
そして、このような屈曲部を有するフラットケーブルでは、ケーブル長手方向に沿ったスリットを各絶縁導体部間の連結部に設け該スリットによって分離された前記各絶縁導体部を結束することにより屈曲部を形成するので、屈曲部の形成が容易で加工作業の作業性が良好である。さらにこのように形成された屈曲部では、ケーブル屈曲時に荷重のかかり方が安定するため不具合を生じる恐れがなく、また導体が並べられている平面と同一平面内だけではなく、任意の方向にフラットケーブルを屈曲させることも可能である。
【００３４】
請求項２に記載の発明によれば、フラットケーブルを屈曲させようとする箇所は、連結部の幅方向の全幅に渡ってスリットを設けて連結部を完全に削除した状態となっているので、結束が容易であるとともに、フラットケーブルを屈曲させたときに、屈曲部に連結部による荷重が集中することもない。
【００３５】
請求項３に記載の発明によれば、各連結部の所定箇所にケーブル長手方向に沿ったスリットを設け該スリットによって分離された前記各絶縁導体部を結束することにより形成した屈曲部では、スリットによって分離された各絶縁導体部が結束されているので、かかる屈曲部を屈曲点として、導体が並べられている平面と同一平面内でフラットケーブルを屈曲させることができる。
【００３６】
そして、このようにして屈曲部を形成するので、屈曲部の形成が容易で加工作業の作業性が良好である。さらにこのような方法により形成された屈曲部では、ケーブル屈曲時に荷重のかかり方が安定するため不具合を生じる恐れがなく、また導体が並べられている平面と同一平面内だけではなく、任意の方向にフラットケーブルを屈曲させることも可能である。
【００３７】
請求項４に記載の発明によれば、スリットを連結部の幅方向の全幅に渡って設け、該スリットを設けた箇所を結束することにより屈曲部を形成することから、スリットを設けた箇所では連結部が完全に削除された状態となっているので、結束が容易であるとともに、フラットケーブルを屈曲させたときに、屈曲部に連結部による荷重が集中することもない。
【図面の簡単な説明】
【図１】（ａ）は本例のフラットケーブルの平面図、（ｂ）は図１（ａ）のＡ−Ａ線拡大断面図である。
【図２】図１に示すフラットケーブルに屈曲部を形成した状態を示す平面図である。
【図３】（ａ）は本例のフラットケーブルの平面図、（ｂ）は図３（ａ）のＢ−Ｂ線拡大断面図である。
【図４】図３に示すフラットケーブルに屈曲部を形成した状態を示す平面図である。
【符号の説明】
１　　　フラットケーブル
２　　　導体
３　　　絶縁体
４　　　絶縁導体部
５　　　連結部
６　　　スリット
７　　　屈曲部
８　　　テープ
【図１】
2004055197.tif 000003
【図２】
2004055197.tif 000004
【図３】
2004055197.tif 000005
【図４】
2004055197.tif 000006